(57)【要約】    【課題】アッパーの損傷が抑制され、かつ屈曲性に優れた釣り用履き物２の提供。    【解決手段】釣り用履き物２のアウトソール１４は、その側壁面３８に第一瘤状突起４０、第二瘤状突起４２、第三瘤状突起４４及び第四瘤状突起４６を備えている。第一瘤状突起４０及び第二瘤状突起４２は、履き物２のアウトサイドに位置している。第三瘤状突起４４及び第四瘤状突起４６は、履き物２のインサイドに位置している。瘤状突起４０、４２、４４、４６は、アッパーの岩との衝突を防止する。第一瘤状突起４０と第二瘤状突起４２との間には、アウトサイド凹陥部４８が位置している。第三瘤状突起４４と第四瘤状突起４６との間には、インサイド凹陥部５０が位置している。アウトサイド凹陥部４８及びインサイド凹陥部５０は、屈曲面Ｆに位置している。瘤状突起４０、４２、４４、４６は、アウトソール１４の屈曲性を阻害しない。【選択図】図３
2006192190.tif 000002
【特許請求の範囲】
【請求項１】
アッパーとアウトソールとを備えており、
このアウトソールが、その側壁面に瘤状突起を備えている釣り用履き物。
【請求項２】
アッパーとアウトソールとを備えており、
このアウトソールが、その側壁面のアウトサイドに、第一瘤状突起と、この第一瘤状突起と隣接する第二瘤状突起と、この第一瘤状突起と第二瘤状突起との間に位置するアウトサイド凹陥部とを備えており、
このアウトソールが、その側壁面のインサイドに、第三瘤状突起と、この第三瘤状突起と隣接する第四瘤状突起と、この第三瘤状突起と第四瘤状突起との間に位置するインサイド凹陥部とを備えており、
このアウトサイド凹陥部及びインサイド凹陥部が屈曲面に位置している釣り用履き物。
【請求項３】
上記アウトサイド凹陥部及びインサイド凹陥部の深さが１ｍｍ以上である請求項２に記載の釣り用履き物。
【発明の詳細な説明】
【技術分野】
【０００１】
本発明は、釣り人に着用される履き物に関する。
【背景技術】
【０００２】
磯釣りでは、釣り人は岩に登ったり、好ポイントを求めて歩いたり、跳躍したりの動作を行う。これらの動作において釣り人の靴は、岩に衝突し、岩と擦れ合う。衝突や擦動により、靴のアッパーは傷つく。損傷したアッパーは、釣り人の足を十分には保護しない。損傷が激しい靴は、もはや使用に耐えられない。
【０００３】
強度に優れる材料からアッパーが構成されれば、損傷は抑制される。しかし、強度に優れる材料は、概して柔軟性に劣る。柔軟性に劣るアッパーは、足の屈曲を妨げる。このアッパーを備えた靴は、履き心地に劣る。
【０００４】
特開２００１−２０４５０６公報には、アッパーを覆うフード状の補強材を備えた釣り用履き物が開示されている。この補強材は、硬質の合成樹脂からなる。この補強材により、アッパーの損傷が防止される。
【特許文献１】特開２００１−２０４５０６公報
【発明の開示】
【発明が解決しようとする課題】
【０００５】
上記公報に開示された靴では、補強材が屈曲性を阻害する。この靴は、履き心地に劣る。本発明の目的は、アッパーの損傷が抑制され、かつ屈曲性に優れた釣り用履き物の提供にある。
【課題を解決するための手段】
【０００６】
本発明に係る釣り用履き物は、アッパーとアウトソールとを備える。このアウトソールは、その側壁面に瘤状突起を備える。
【０００７】
本発明に係る他の釣り用履き物は、アッパーとアウトソールとを備える。このアウトソールは、その側壁面のアウトサイドに、第一瘤状突起と、この第一瘤状突起と隣接する第二瘤状突起と、この第一瘤状突起と第二瘤状突起との間に位置するアウトサイド凹陥部とを備える。このアウトソールはさらに、その側壁面のインサイドに、第三瘤状突起と、この第三瘤状突起と隣接する第四瘤状突起と、この第三瘤状突起と第四瘤状突起との間に位置するインサイド凹陥部とを備える。このアウトサイド凹陥部及びインサイド凹陥部は、履き物の屈曲面に位置する。好ましくは、アウトサイド凹陥部及びインサイド凹陥部の深さは、１ｍｍ以上である。
【発明の効果】
【０００８】
本発明に係る釣り用履き物では、アウトソールの瘤状突起が岩に衝突する。この瘤状突起は、アッパーの岩への衝突及びアッパーと岩との擦動を防止する。この履き物では、アッパーの損傷が抑制される。この瘤状突起は、アッパーの屈曲性を阻害しない。この履き物は、履き心地にも優れる。
【発明を実施するための最良の形態】
【０００９】
以下、適宜図面が参照されつつ、好ましい実施形態に基づいて本発明が詳細に説明される。
【００１０】
図１は本発明の一実施形態に係る釣り用履き物２が示された正面図であり、図２はその平面図である。図１には、履き物２のアウトサイドが示されている。この履き物２は、アッパー４、ヒールガード６、アウトサイドガード８、インサイドガード１０、紐１２及びアウトソール１４を備えている。図２では、紐１２の図示が省略されている。
【００１１】
アッパー４は、メッシュ状の生地からなる。アッパー４は、透水性である。このアッパー４は軽量であり、かつ柔軟である。このアッパー４は、屈曲性に優れている。アッパー４は、ハトメ１６を備えている。このハトメ１６には、紐１２が通されている。アッパー４はまた、フラップ１８も備えている。
【００１２】
ヒールガード６は、アッパー４の踵近傍を覆っている。ヒールガード６は、硬質の合成樹脂からなる。図１に示されるように、ヒールガード６は開口２０を備えている。図２に示されるように、ヒールガード６は左右一対のアーム２２を備えている。アーム２２は、着用者の足首の爪先側にまで延在している。アーム２２は、その先端に貫通孔２４を備えている。
【００１３】
アウトサイドガード８は、アッパー４のアウトサイドを覆っている。アウトサイドガード８は、開口２６を備えている。インサイドガード１０は、アッパー４のインサイドを覆っている。図示されていないが、インサイドガード１０もアウトサイドガード８と同様の開口を備えている。アウトサイドガード８及びインサイドガード１０は、ヒールガード６と同様の硬質樹脂からなる。
【００１４】
図３は、図１の釣り用履き物２が示された底面図である。図３には、右足用の履き物２が示されている。左足用の履き物２は、図３に示された形状が反転された形状を呈する。図３において、上側がアウトサイドであり、下側がインサイドである。この履き物２のアウトソール１４は、ベース２８と、多数のブロック３０と、多数のスパイクピン３２とを備えている。ベース２８は、架橋ゴムからなる。ベース２８には、耐摩耗性及び強度に優れたゴムが用いられる。ブロック３０は、硬質樹脂からなる。スパイクピン３２は、金属材料からなる。
【００１５】
図４は、図３のIV−IV線に沿った拡大断面図である。この図４には、アッパー４及びアウトソール１４と共に、インソール３４が示されている。履き物２が、インソール３４とアウトソール１４との間にミッドソールを備えてもよい。図４に示されるように、スパイクピン３２の、先端部３６を除く大部分は、ブロック３０に埋設されている。この埋設により、スパイクピン３２がブロック３０に堅固に固定されている。スパイクピン３２の先端部３６は、ブロック３０から下方に突出している。この先端部３６が地面に突き刺さることにより、履き物２のスリップが防止される。ブロック３０の一部はベース２８に埋設されている。この埋設により、ブロック３０がベース２８に堅固に固定されている。
【００１６】
図１から明らかなように、アウトソール１４は側壁面３８を備えている。図１、図２及び図３から明らかなように、側壁面３８は、第一瘤状突起４０、第二瘤状突起４２、第三瘤状突起４４及び第四瘤状突起４６を備えている。これら瘤状突起４０、４２、４４、４６は、外向きに突出している。第一瘤状突起４０及び第二瘤状突起４２は、履き物２のアウトサイドに位置している。第二瘤状突起４２は、第一瘤状突起４０と隣接している。第一瘤状突起４０と第二瘤状突起４２との間には、アウトサイド凹陥部４８が位置している。第三瘤状突起４４及び第四瘤状突起４６は、履き物２のインサイドに位置している。第四瘤状突起４６は、第三瘤状突起４４と隣接している。第三瘤状突起４４と第四瘤状突起４６との間には、インサイド凹陥部５０が位置している。
【００１７】
この履き物２の製造では、金型にブロック３０が配置され、さらにこの金型に未架橋ゴム組成物が充填される。ゴム組成物は加熱によって架橋反応を起こし、アウトソール１４が成形される。成形と同時に、瘤状突起４０、４２、４４、４６が形成される。一方、アッパー４にヒールガード６、アウトサイドガード８及びインサイドガード１０が接合される。接合は、縫合によって達成される。接合が、接着剤によってなされてもよい。次に、このアッパー４にアウトソール１４が接合される。接合は、接着剤によって達成される。次に、アウトソール１４にインソール３４が積層され、このインソール３４が接着剤によってアウトソール１４に接合されて、履き物２が完成する。
【００１８】
この履き物２が着用されるときは、まず着用者が足を履き物２に入れる。次に、ハトメ１６及びアーム２２の貫通孔２４を通された紐１２が締められて、縛られる。前述のようにアーム２２は足首の爪先側にまで至っているので、紐１２が締められることでアーム２２がアッパー４を着用者の足首に強く押圧する。このとき、アーム２２に働く張力はヒールガード６の全体に及ぶ。この張力により、ヒールガード６の直下のアッパー４は着用者の踵を強く押圧する。足首及び踵の押圧により、履き物２が足にフィットする。釣り場では着用者が激しい動作を行うこともあるが、足にフィットした履き物２はこの動作を妨げない。ヒールガード６、アウトサイドガード８及びインサイドガード１０は硬質なので、履き物２の安定性に寄与する。さらに、ヒールガード６、アウトサイドガード８及びインサイドガード１０は、アッパー４の保護にも寄与する。
【００１９】
着用者が磯で歩行等の動作を行うと、履き物２が岩と衝突する。前述の通り瘤状突起４０、４２、４４、４６は外向きに突出しているので、この瘤状突起４０、４２、４４、４６がまず岩に衝突する。従って、アッパー４が岩と激しく衝突することがなく、アッパー４が岩と激しく擦れ合うこともない。この履き物２では、アッパー４の損傷が抑制される。換言すれば、瘤状突起４０、４２、４４、４６はアッパー４を保護する役割を果たす。瘤状突起４０、４２、４４、４６はアウトソール１４に形成されているので、アッパー４の柔軟性を損なわない。この履き物２では、優れた屈曲性が維持される。
【００２０】
瘤状突起４０、４２、４４、４６の強度は高いので、瘤状突起４０、４２、４４、４６が岩と衝突しても瘤状突起４０、４２、４４、４６の損傷は軽微である。瘤状突起４０、４２、４４、４６の損傷抑制の観点から、ＪＩＳ−Ａ硬度計で測定されたアウトソール１４の硬度Ｈｓは２０以上８０以下が好ましい。
【００２１】
図３において二点鎖線Ｆで示されているのは、屈曲面である。着用者が履き物２を履いて歩行するとき、アウトソール１４は屈曲面Ｆにおいて最も大きく変形する。図３から明らかなように、アウトサイド凹陥部４８及びインサイド凹陥部５０は、屈曲面Ｆに位置している。第一瘤状突起４０及び第二瘤状突起４２は、屈曲面Ｆを挟んで対峙している。第三瘤状突起４４及び第四瘤状突起４６も、屈曲面Ｆを挟んで対峙している。換言すれば、屈曲面Ｆには瘤状突起４０、４２、４４、４６が位置していない。この履き物２では、瘤状突起４０、４２、４４、４６がアウトソール１４の変形を阻害しない。この履き物２は、屈曲性に極めて優れる。
【００２２】
図５（ａ）は図３の履き物２のアウトサイドの一部が示された拡大図であり、図５（ｂ）は図３の履き物２のインサイドの一部が示された拡大図である。図５（ａ）において符号Ｄｏで示されているのは、アウトサイド凹陥部４８の深さである。深さＤｏは、第一瘤状突起４０及び第二瘤状突起４２に引かれた共通接線Ｌｏと、アウトサイド凹陥部４８の最深部との距離である。図５（ｂ）において符号Ｄｉで示されているのは、インサイド凹陥部５０の深さである。深さＤｉは、第三瘤状突起４４及び第四瘤状突起４６に引かれた共通接線Ｌｉと、インサイド凹陥部５０の最深部との距離である。アッパー４の保護の観点から、深さＤｏ及び深さＤｉは１ｍｍ以上が好ましく、３ｍｍ以上がより好ましい。アウトソール１４の軽量の観点から、深さＤｏ及び深さＤｉは２０ｍｍ以下が好ましい。
【００２３】
図６は本発明の他の実施形態に係る釣り用履き物６０が示された正面図であり、図７はその平面図である。この履き物６０は、図１に示された履き物２と同様、アッパー４、ヒールガード６、アウトサイドガード８、インサイドガード１０、紐１２及びアウトソール６２を備えている。アッパー４、ヒールガード６、アウトサイドガード８、インサイドガード１０及び紐１２の形状及び材質は、図１に示された履き物２のそれと同様である。
【００２４】
図８は、図６の釣り用履き物６０が示された底面図である。この履き物６０のアウトソール６２は、図３に示されたアウトソール１４と同様、ベース６４、多数のブロック３０及び多数のスパイクピン３２を備えている。ベース６４、ブロック３０及びスパイクピン３２の材質は、図１に示された履き物２のそれと同様である。
【００２５】
図６から明らかなように、アウトソール６２は側壁面６６を備えている。図６、図７及び図８から明らかなように、側壁面６６は、第一瘤状突起４０、第二瘤状突起４２、第三瘤状突起４４及び第四瘤状突起４６を備えている。側壁面６６はさらに、多数の他の瘤状突起６８も備えている。これら瘤状突起４０、４２、４４、４６、６８は、外向きに突出している。第一瘤状突起４０及び第二瘤状突起４２は、履き物６０のアウトサイドに位置している。第二瘤状突起４２は、第一瘤状突起４０と隣接している。第一瘤状突起４０と第二瘤状突起４２との間には、アウトサイド凹陥部４８が位置している。第三瘤状突起４４及び第四瘤状突起４６は、履き物６０のインサイドに位置している。第四瘤状突起４６は、第三瘤状突起４４と隣接している。第三瘤状突起４４と第四瘤状突起４６との間には、インサイド凹陥部５０が位置している。
【００２６】
この履き物６０では、第一瘤状突起４０、第二瘤状突起４２、第三瘤状突起４４及び第四瘤状突起４６と共に、他の瘤状突起６８も、アッパー４の保護に寄与する。図８から明らかなように、この履き物６０でも、屈曲面には瘤状突起４０、４２、４４、４６、６８が位置していない。この履き物６０では、瘤状突起４０、４２、４４、４６、６８がアウトソール６２の変形を阻害しない。この履き物６０は、屈曲性に極めて優れる。この履き物６０でも、屈曲性の観点から、アウトサイド凹陥部４８の深さＤｏ及びインサイド凹陥部５０の深さＤｉは１ｍｍ以上が好ましく、３ｍｍ以上がより好ましい。アウトソール６２の軽量の観点から、深さＤｏ及び深さＤｉは２０ｍｍ以下が好ましい。
【産業上の利用可能性】
【００２７】
本発明に係る履き物は、磯、船等の種々の釣り場において利用されうる。本発明に係る履き物が、ウェーダーに装着されてもよい。ブーツ又は地下足袋において、ソールに瘤状突起が設けられてもよい。
【図面の簡単な説明】
【００２８】
【図１】図１は、本発明の一実施形態に係る釣り用履き物が示された正面図である。
【図２】図２は、図１の釣り用履き物が示された平面図である。
【図３】図３は、図１の釣り用履き物が示された底面図である。
【図４】図４は、図３のIV−IV線に沿った拡大断面図である。
【図５】図５（ａ）は図３の履き物のアウトサイドの一部が示された拡大図であり、図５（ｂ）は図３の履き物のインサイドの一部が示された拡大図である。
【図６】図６は、本発明の他の実施形態に係る釣り用履き物が示された正面図である。
【図７】図７は、図６の釣り用履き物が示された平面図である。
【図８】図８は、図６の釣り用履き物が示された底面図である。
【符号の説明】
【００２９】
２、６０・・・釣り用履き物
４・・・アッパー
６・・・ヒールガード
８・・・アウトサイドガード
１０・・・インサイドガード
１４、６２・・・アウトソール
２２・・・アーム
２８、６４・・・ベース
３０・・・ブロック
３２・・・スパイクピン
３４・・・インソール
３８、６６・・・側壁面
４０・・・第一瘤状突起
４２・・・第二瘤状突起
４４・・・第三瘤状突起
４６・・・第四瘤状突起
４８・・・アウトサイド凹陥部
５０・・・インサイド凹陥部
６８・・・他の瘤状突起
【図１】
2006192190.tif 000003
【図２】
2006192190.tif 000004
【図３】
2006192190.tif 000005
【図４】
2006192190.tif 000006
【図５】
2006192190.tif 000007
【図６】
2006192190.tif 000008
【図７】
2006192190.tif 000009
【図８】
2006192190.tif 000010